(57)【要約】【課題】  モーター出力軸からの駆動力を伝達するための、歯車やプーリーやベルトを用いて撹拌羽根駆動軸とポンプ駆動軸に伝達しているので、複数の駆動軸や、複数の歯車、複数のプーリーとベルトの間で生じる装置作動音が大きいものとなっている。【解決手段】  撹拌羽根を結合した撹拌羽根駆動軸を、第１クラッチを介してモーターの出力軸に取り付け、ポンプを結合したポンプ駆動軸を、第２クラッチを介してモーターの出力軸に取り付け、モーターの出力軸と撹拌羽根駆動軸とポンプ駆動軸が同軸に回転する構成であり、第１クラッチと第２クラッチにモーターの駆動を伝達し、撹拌と供給の動作を切り替えて行う壁紙糊付機用糊供給装置である。【選択図】図３
2020142445.tif 000002
【特許請求の範囲】
【請求項１】
糊を貯留するための容器と、
糊を撹拌するための撹拌羽根と、
糊を壁紙糊付機に供給するためのポンプと、
前記撹拌羽根と前記ポンプを回転させる駆動力源としてモーターを有し、
撹拌と供給を切り替えて行う壁紙糊付機用糊供給装置であって、
前記撹拌羽根を結合した撹拌羽根駆動軸を第１クラッチを介して前記モーターの出力軸に取り付け、
前記ポンプを結合したポンプ駆動軸を第２クラッチを介して前記モーターの出力軸に取り付け、
前記モーターの出力軸と前記撹拌羽根駆動軸と前記ポンプ駆動軸が同軸に回転する構成であり、
前記第１クラッチと前記第２クラッチに前記モーターの出力軸の駆動力を伝達し、
撹拌と供給の動作を切り替えて行うことを特徴とする壁紙糊付機用糊供給装置。
【請求項２】
前記第１クラッチと前記第２クラッチはワンウェイクラッチであり、
前記第１クラッチと前記第２クラッチは駆動力を伝達する方向が逆向きであり、
前記モーターの回転方向を切り替えることにより、撹拌と供給の動作を切り替えて行うことを特徴とする前記請求項１記載の壁紙糊付機用糊供給装置。
【発明の詳細な説明】
【技術分野】
【０００１】
本発明は、糊と水を撹拌羽根により混合して容器に貯留しておき、壁紙に糊を塗布する際に、壁紙糊付機と連動してポンプを作動させて壁紙糊付機に糊を供給する壁紙糊付機用糊供給装置である。
【背景技術】
【０００２】
従来から、糊を壁紙糊付機へ供給する壁紙糊付機用糊供給装置として、ペースト糊と水を撹拌羽根により希釈混合して容器に貯留しておき、壁紙に糊を塗布する際に、壁紙糊付機と連動して糊供給ポンプを作動させて壁紙糊付機に供給する方式の装置が具現化されている。
従来技術の壁紙糊付機用糊供給装置は、撹拌羽根の回転とポンプの回転の駆動力源として
１つのモーターを用い、回転駆動の伝達を、撹拌羽根か、ポンプかに切り替える方式のものであり、駆動力伝達切り替えの方法としては、下記の３つの方法のものが具現化されている。
１つは、モーターの回転の伝達を切り替えるための歯車を設け、撹拌羽根駆動軸側の歯車に噛み合わせるか、またはポンプ駆動軸側の歯車に噛み合わせるかによって切り替える方式であり、１つは、モーターの回転を伝達するためのベルトの張力を張ったり緩めたりするためのプーリーを設け、撹拌羽根駆動軸側のベルトを張るか、またはポンプ駆動軸側のベルトを張るかを切り替える方式であり、１つは、駆動軸に挿通する方向が逆向きに、撹拌羽根駆動軸に挿通する第１ワンウェイクラッチと、ポンプ駆動軸に挿通する第２ワンウェイクラッチを設け、モーターの回転を第１ワンウェイクラッチに伝達するためのプーリーとベルトとを設け、また、モーターの回転を第２ワンウェイクラッチに伝達するためのプーリーとベルトを設け、モーターの回転方向を切り替えることによって、モーターの回転駆動を撹拌羽根に伝達するか、またはポンプに伝達するかを切り替える方式である。
【先行技術文献】
【特許文献】
【０００３】
【特許文献１】第４７３７４８１号
【０００４】
【特許文献２】第４７２５８２８号
【発明の開示】
【発明が解決しようとする課題】
【０００５】
上記３つの方式の壁紙糊付機用糊供給装置においては、いずれも、モーター出力軸と撹拌羽根駆動軸とポンプ駆動軸の３軸を設け、モーター出力軸からの駆動力を伝達するための駆動伝達部材として、歯車やプーリーやベルトを用いて撹拌羽根駆動軸とポンプ駆動軸に伝達しているので、複数の軸に取り付けられた複数の歯車の噛み合い、また、複数のプーリーとベルトの間の接触分離などが要因の装置作動音が大きいものとなっている。
また、駆動を伝達するための部品が多いので、装置が重いものとなっており、
マンションなどのリフォーム現場で使用する際などには、隣室に居住している人からの騒音苦情がでる場合もあり、また、部屋から部屋へと装置の運搬にも労力を要するものとなっている。このような背景から、装置の作動音が静かで、重量が軽い壁紙糊付機用糊供給装置が要望されている。
【課題を解決するための手段】
【０００６】
糊を貯留するための容器と、
糊を撹拌するための撹拌羽根と、
糊を壁紙糊付機に供給するためのポンプと、
撹拌羽根とポンプを回転させる駆動力源としてモーターを有し、
撹拌と供給を切り替えて行う壁紙糊付機用糊供給装置であって、
撹拌羽根を結合した撹拌羽根駆動軸を、第１クラッチを介してモーターの出力軸に取り付け、
ポンプを結合したポンプ駆動軸を、第２クラッチを介してモーターの出力軸に取り付け、
モーターの出力軸と撹拌羽根駆動軸とポンプ駆動軸が同軸に回転する構成であり、
第１クラッチと第２クラッチにモーターの出力軸の駆動力を伝達し、
撹拌と供給の動作を切り替えて行うことを特徴とする。   
【０００７】
第１クラッチと前記第２クラッチはワンウェイクラッチであり、
第１クラッチと第２クラッチは駆動力を伝達する方向が逆向きであり、
モーターの回転方向を切り替えることにより、撹拌と供給の動作を切り替えて行うことを特徴とする。
【発明の効果】
【０００８】
糊を貯留するための容器と、
糊を撹拌するための撹拌羽根と、
糊を壁紙糊付機に供給するためのポンプと、
撹拌羽根とポンプを回転させる駆動力源としてモーターを有し、
撹拌と供給を切り替えて行う壁紙糊付機用糊供給装置であって、
撹拌羽根を結合した撹拌羽根駆動軸を第１クラッチを介してモーターの出力軸に取り付け、
ポンプを結合したポンプ駆動軸を第２クラッチを介してモーターの出力軸に取り付け、
モーターの出力軸と撹拌羽根駆動軸とポンプ駆動軸が同軸に回転する構成であり、
第１クラッチと第２クラッチにモーターの出力軸の駆動力を伝達し、
撹拌と供給の動作を切り替えて行うことを特徴とするので、
モーター出力軸の駆動力を撹拌羽根に伝達するための歯車とプーリーとベルトと、モーター出力軸の駆動力をポンプに伝達するための歯車とプーリーとベルトを削除でき、モーター出力軸からの駆動力を伝達するための駆動伝達部材がないので、歯車の噛み合いやプーリーとベルトの接触分離などによる音が発生しないので、作動音が小さいものである。また、装置の自重が軽いものである。 
【０００９】
第１クラッチと前記第２クラッチはワンウェイクラッチであり、
第１クラッチと第２クラッチは駆動力を伝達する方向が逆向きであり、
モーターの回転方向を切り替えることにより、撹拌と供給の動作を切り替えて行うことを特徴とするので、構造が簡素で、装置の自重が軽いものである。 
【図面の簡単な説明】
【００１０】
【図１】図１は、本発明の壁紙糊付機用糊供給装置を説明するための斜視図である。
【図２】図２は、本発明の壁紙糊付機用糊供給装置を説明するための断面図である。
【図３】図３は、本発明の壁紙糊付機用糊供給装置の撹拌羽根とポンプとモーター部の取り付け構造を説明するための図である。
【図４】図４は、本発明の壁紙糊付機用糊供給装置の操作部を説明するための図である。
【図５】図５は、本発明の壁紙糊付機用糊供給装置から壁紙糊付機への糊の供給を説明するための図である。
【発明を実施するための最良の形態】
【００１１】
図１を用いて、本発明の壁紙糊付機用糊供給装置（１）の外観構成を説明する。
壁紙糊付機用糊供給装置（１）を移動させるためのキャスター（７）が設けられた底部カバー（４）の上に、糊を撹拌して貯留するための容器（２）が取り付けられており、
底部カバー（４）から、先端にノズル（６） が装着されたホース（５）が配設されている。
また、容器底面（２ａ）には撹拌羽根（９）と、容器（２）内の糊をホース（５）へ移動させるための吸入口（１２）が設けられており、また、容器（２）の側面には目盛（８）が設けられている。また、容器（２）には蓋（３）と 蓋ロック具（１５）と上部把手（１４）が設けられている。また、底部カバー（４）の正面には操作部（１６）が設けられている。
【００１２】
続いて、図２を用いて壁紙糊付機用糊供給装置（１）の内部構成を説明する。
底部カバー（４）の内部には、撹拌羽根（９）とポンプ（１０）を駆動するためのモーター（１７）とポンプ（１０）と基台（２４）が収納されており、基台（２４）は基台上面（２４ａ）と基台底面（２４ｂ）からなり、基台接合具（２４ｃ）によって容器底面（２ａ）の下面に取り付けられており、基台上面（２４ａ）と基台底面（２４ｂ）の間にはモーター（１７）が取り付けられており、基台底面（２４ｂ）の下にポンプ（１０）が取り付けられている。
【００１３】
また、容器底面（２ａ）の吸入口（１２）からポンプ（１０）の吸入口（図示せず）まで
吸入管（１２ａ）が配設されており、ポンプ（１０）の吐出口（１０ｃ）にはホース（５）が配設されており、容器（２）に貯留されている糊は、ポンプ（１０）によって吸入口（１２）から吸引され、吸入管（１２ａ）を通ってポンプ（１０）を通ってホース（５）へ移動する構成である。
【００１４】
続いて、図３を用いて、撹拌羽根（９）とポンプ（１０）の取り付け方の詳細を説明する。
モーター（１７）は、中空のモーター出力軸（１７ａ）が貫通しているモーター（１７）を用いて、モーター出力軸（１７ａ）が垂直となる向きで、基台上面（２４ａ）と基台底面（２４ｂ）間の空間に、モーター取り付けネジ（１７ｂ）により取り付けられており、
また、ポンプ（１０）にはギヤポンプを用いており、ポンプケース上面（１０ｄ）が、ポンプ接合具（１０ｂ）により基台底面（２４ｂ）に固定されている。
【００１５】
モーター出力軸（１７ａ）の上端には第１ワンウェイクラッチ（１８）が嵌め込まれており、第１ワンウェイクラッチ（１８）に撹拌羽根駆動軸（９ａ）が挿通され、撹拌羽根駆動軸（９ａ）は第１ワンウェイクラッチ（１８）に対して空転しないように保持されており、
撹拌羽根駆動軸（９ａ）は、第２ベアリング（２１）により基台上面（２４ａ）に軸支され、
第１ベアリング（２０）により容器底面（２ａ）に軸支されており、第１ワンウェイクラッチ（１８）のモーター出力軸（１７ａ）への嵌め込みの向きは、モーター出力軸（１７ａ）が時計方向（ＣＷ方向）に回転した場合に、モーター出力軸（１７ａ）の駆動力が撹拌羽根駆動軸（９ａ）に伝達される方向で、モーター出力軸（１７ａ）が反時計方向（ＣＣＷ方向）に回転した場合には、撹拌羽根駆動軸（９ａ）に駆動力が伝達されない向きである。
【００１６】
また、モーター出力軸（１７ａ）の下端には第２ワンウェイクラッチ（１９）が嵌め込まれており、第２ワンウェイクラッチ（１９）にポンプ駆動軸（１０ａ）が挿通され、第２ワンウェイクラッチ（１９）に対して空転しないように保持されており、
また、ポンプ駆動軸（１０ａ）は、第３ベアリング（２２）によりポンプケース上面（１０ｄ）に軸支され、第４ベアリング（２３）によりポンプケース下面（１０ｅ）に軸支されており、 
また、第２ワンウェイクラッチ（１９）のポンプ駆動軸（１０ａ）への嵌め込みの向きは、モーター出力軸（１７ａ）が反時計方向（ＣＣＷ方向）に回転した場合に、モーター出力軸（１７ａ）の駆動力がポンプ駆動軸（１０ａ）に伝達される方向で、モーター出力軸（１７ａ）が時計方向（ＣＷ方向）に回転した場合には、ポンプ駆動軸（１０ａ）に駆動力が伝達されない方向であり、
また、糊の移動方向は、モーター出力軸（１７ａ）が時計方向（ＣＷ方向）に回転した場合に、容器（２）に貯留されている糊がホース（５）へ移動して先端のノズル（６）から放出される方向である。
【００１７】
続いて、図４を用いて操作部（１６）を説明をする。
操作部（１６）には、電源コード（図示せず）を商用電源コンセントに接続して、モーター（１７）等の駆動電源を得るための電源コネクタ（１６ａ）と、モーター（１７）が過負荷状態に陥った場合などに電源を一時的に遮断するためのサーキットプロテクタ（１６ｂ）が設けられている。
【００１８】
また、作業者が、壁紙糊付機用糊供給装置（１）に撹拌動作を実行させるのか、供給動作を実行させるのかを指示するための撹拌供給切り替えスイッチ（１６ｃ）が設けられており、
撹拌供給切り替えスイッチ（１６ｃ）が「撹拌」側に倒された場合は、モーター（１７）が時計方向に回転し撹拌羽根（９）が回転して撹拌動作を実行する。
「ポンプ」側に倒された場合は、モーター（１７）が反時計方向に回転しポンプが回転し、供給動作を実行する。
また、撹拌動作を実行する時間を設定するための撹拌タイマー（１６ｄ）が設けてられており、撹拌供給切り替えスイッチ（１６ｃ）が「撹拌」側に倒されている場合は、モーター（１７）は撹拌タイマー（１６ｄ）が設定されている時間が経過すれば停止する。
【００１９】
また、操作部（１６）のスイッチをさわらないで壁紙糊付機用糊供給装置（１）を操作するための信号を受信するための、信号線接続ジャック（１６ｅ）とフットスイッチ接続ジャック（１６ｆ）が設けられている。
【００２０】
続いて、壁紙糊付機用糊供給装置（１）の糊供給動作を説明する。
作業者により、壁紙糊付け用の糊を生成する場合（例えば、ペースト糊１８ｋｇを水１２リットルで希釈して粘度８０００ｃＰの糊を３０ｋｇ生成する場合など）、容器（２）の中に、所定量のペースト糊と所定量の水が入れられて蓋（３）が閉められ、撹拌タイマー（１６ｄ）が所定の時間設定され、撹拌供給切り替えスイッチ（１６ｃ）が「撹拌」側に倒されるとモーター（１７）が回転起動し、撹拌羽根（９）が回転し、ペースト糊と水が希釈混合され、撹拌タイマー（１６ｄ）で設定されている時間経過すれば、モーター（１７）が停止し、撹拌羽根（９）が停止し、生成された壁紙糊付け用の糊は容器（２）の中に貯留される。
【００２１】
続いて、壁紙糊付機用糊供給装置（１）の撹拌動作を図５を用いて説明する。
容器（２）の中に壁紙糊付け用の糊が貯留された状態で、作業者により、ホース（５）の先端のノズル（６）が壁紙糊付機（５１）の糊箱（５２）の底部に、専用の接続具を用いて接続され、専用の信号線（５４）が、壁紙糊付機用糊供給装置（１）の信号線接続ジャック（１６ｅ）と壁紙糊付機（５１）の制御装置（５３）の間に接続され、撹拌供給切り替えスイッチ（１６ｃ）が「供給」側に倒されると、壁紙糊付機用糊供給装置（１）は供給動作実行の指示待ち状態となる。
信号線（５４）が接続されている状態で、撹拌供給切り替えスイッチ（１６ｃ）が「供給」側に倒されている場合は、信号線接続ジャック（１６ｅ）から入力された信号のＯＮ、ＯＦＦによりモーター（１７）が回転、停止する回路構成である。
【００２２】
作業者が、壁紙糊付機（５１）の制御装置（５３）から、糊を塗布する壁紙の長さと枚数を入力して糊付けを実行していく過程で、糊箱（５２）に貯留されている糊が所定量以下になった場合には、壁紙糊付機（５１）の制御装置（５３）は信号をＯＮし、壁紙糊付機用糊供給装置（１）に対して糊供給動作実行を指示する。供給動作実行が指示された場合、壁紙糊付機用糊供給装置（１）は、ポンプ（１０）を回転させて糊供給動作を実行し、容器（２）の中に貯留されている糊が糊箱（５２）に供給される。制御装置（５３）が信号をＯＦＦすると、壁紙糊付機用糊供給装置（１）はモーター（１７）を停止し、ポンプ（１０）を停止して糊供給動作を停止する。
【００２３】
本発明の壁紙糊付機用糊供給装置（１）では、出力軸が中空のモーターを用いているが、
中空ではない１本の出力軸がモーター本体を貫通して両面に出ているものを用いる場合でも同様の効果は得られる。
【００２４】
また、本発明の壁紙糊付機用糊供給装置（１）では、モーター出力軸（１７ａ）に、第１ワンウェイクラッチ（１８）と第２ワンウェイクラッチ（１９）を、駆動伝達の方向が逆回転になる向きに嵌め込んで、モーター（１７）の回転方向を切り替えることにより、撹拌と供給を切り替えているが、
電磁式のクラッチを用いて、第１電磁クラッチと第２電磁クラッチをモーター出力軸（１７ａ）に嵌め込み、撹拌供給切り替えスイッチ（１６ｃ）が「撹拌」側に倒された場合に、第１電磁クラッチをＯＮ、第２電磁クラッチをＯＦＦし、
「ポンプ」側に倒された場合に、第１電磁クラッチをＯＦＦ、第２電磁クラッチをＯＮするようにしても同様の効果は得られる。
【符号の説明】
【００２５】
１    壁紙糊付機用糊供給装置
２    容器
２ａ  容器底面
３    蓋
４    底部カバー
５    ホース
６    ノズル
７    キャスター
８    目盛
９    撹拌羽根
９ａ  撹拌羽根駆動軸
１０  ポンプ
１０ａポンプ駆動軸  
１０ｂポンプ接合具
１０ｃ吐出口
１０ｄポンプケース上面
１０ｅポンプケース下面
１１  ホース差し込み口
１２  吸入口
１２ａ吸入管
１３  底部把手
１４  上部把手
１５  蓋ロック具
１６  操作部
１６ａ電源コネクタ
１６ｂサーキットプロテクタ
１６ｃ撹拌供給切り替えスイッチ
１６ｄ撹拌タイマー
１６ｅ信号線接続ジャック
１６ｆフットスイッチ接続ジャック
１７  モーター
１７ａモーター出力軸
１７ｂモーター取り付けネジ
１８  第１ワンウェイクラッチ
１９  第２ワンウェイクラッチ
２０  第１ベアリング
２１  第２ベアリング
２２  第３ベアリング
２３  第４ベアリング
２４  基台
２４ａ基台上面
２４ｂ基台底面  
２４ｃ基台接合具
５１  壁紙糊付機
５２  糊箱
５３  制御装置
５４  信号線
Ａ   回転軸芯
【図１】
2020142445.tif 000003
【図２】
2020142445.tif 000004
【図３】
2020142445.tif 000005
【図４】
2020142445.tif 000006
【図５】
2020142445.tif 000007